Podtech/llm-jp-corpus-v4-ja_patent huggingface dataset:
【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
ポリウレタンベースの一成分焼付系であって、酸化状態が少なくとも＋4であるモリブデン及び／又はタングステンの有機化合物及び／又は無機化合物を１つ以上含むことを特徴とする焼付系。
【請求項２】
（a）ブロックトポリイソシアネートと、
（b）ポリイソシアネート反応性基を有するポリマーと、
（c）酸化状態が少なくとも＋4であるモリブデン及び／又はタングステンの有機化合物及び／又は無機化合物を１つ以上と、
（d）水及び／又は有機溶剤又は混合溶剤と、
（e）所望により更に添加物及び助剤と、
を含み、
（a）＋（b）の量が20〜89.9重量部、（c）が0.01〜5重量部、（d）が10〜70重量部、ならびに（e）が0〜10重量部であって、成分（a）〜（e）の合計が100重量部であることを特徴とする請求項１に記載の焼付系。
【請求項３】
請求項1または2に記載の焼付系を調製する方法であって、成分（d）中に分散又は溶解させる前に成分（c）を成分（a）及び／又は（b）中に導入することを特徴とする方法。
【請求項４】
請求項1または2に記載の焼付系を調製する方法であって、成分（d）中に成分（a）及び／又は（b）を分散又は溶解させる前に成分（c）を成分（d）中に導入することを特徴とする方法。
【請求項５】
請求項1または2に記載の水性又は水分散性系を調製する方法であって、分散媒としての水を加える前に成分（a）、（b）、（d）及び／又は（e）の１つ以上に成分（c）を加えることを特徴とする方法。
【請求項６】
塗料、インキ及び接着剤を調製するための請求項1または2に記載の焼付系の使用。
【請求項７】
請求項1または2に記載の焼付系から得られる皮膜で被覆された基材。
【手続補正２】
【補正対象書類名】明細書
【補正対象項目名】００６８
【補正方法】変更
【補正の内容】
【００６８】
本発明の一成分形焼付系をベースとした調合物から得られるコーティングで被覆した基材も同様に、本発明により提供される。
本発明およびその好ましい実施態様は以下のとおりである。
<１>ポリウレタンベースの一成分焼付系であって、酸化状態が少なくとも＋4であるモリブデン及び／又はタングステンの有機化合物及び／又は無機化合物を１つ以上含むことを特徴とする焼付系。
<２>前記モリブデン及び／又はタングステンの化合物が、モリブデン酸アンモニウム、モリブデン酸リチウム、モリブデン酸ナトリウム、モリブデン酸カリウム、モリブデン酸ルビジウム、モリブデン酸セシウム、パラモリブデン酸アンモニウム（（NH4）6Mo7O24・4H2O）、モリブデニルビスアセチルアセトネート（MoO2（C5H7O5）2）、二酸化モリブデンテトラメチルヘプタジオネート（MoO2（TMHD）2）、エチレングリコール、プロピレングリコール又は1,4-ブタンジオール等の1,2-、1,3-又は1,4-ジオールから形成されるモリブデンアルコキシド、モリブデン酸、酸化モリブデン、モリブデン酸テトラエチルアンモニウム、タングステン酸ナトリウム、モリブデン酸マグネシウム、モリブデン酸カルシウム、タングステン酸、タングステン酸リチウム、及びリンタングステン酸からなる群より選択される化合物であることを特徴とする上記<１>に記載の焼付系。
<３>前記モリブデン及び／又はタングステンの化合物が、モリブデン酸アンモニウム、モリブデン酸リチウム、モリブデン酸ナトリウム、モリブデン酸カリウム、モリブデン酸ルビジウム、モリブデン酸セシウム、パラモリブデン酸アンモニウム（（NH4）6Mo7O24・4H2O）、モリブデニルビスアセチルアセトネート（MoO2（C5H7O5）2）、二酸化モリブデンテトラメチルヘプタジオネート（MoO2（TMHD）2）、エチレングリコール、プロピレングリコール又は1,4-ブタンジオール等の1,2-、1,3-又は1,4-ジオールから形成されるモリブデンアルコキシド、モリブデン酸、酸化モリブデン、モリブデン酸テトラエチルアンモニウム及びタングステン酸ナトリウムからなる群より選択される化合物であることを特徴とする上記<１>に記載の焼付系。
<４>（a）ブロックトポリイソシアネートと、
（b）ポリイソシアネート反応性基を有するポリマーと、
（c）酸化状態が少なくとも＋4であるモリブデン及び／又はタングステンの有機化合物及び／又は無機化合物を１つ以上と、
（d）水及び／又は有機溶剤又は混合溶剤と、
（e）所望により更に添加物及び助剤と、
を含み、
（a）＋（b）の量が20〜89.9重量部、（c）が0.01〜5重量部、（d）が10〜70重量部、ならびに（e）が0〜10重量部であって、成分（a）〜（e）の合計が100重量部であることを特徴とする上記<１>に記載の焼付系。
<５>ブロックトポリイソシアネート（a）として脂肪族イソシアネートを使用することを特徴とする上記<１>〜<４>のいずれかに記載の焼付系。
<６>ブロックトポリイソシアネート（a）として芳香族イソシアネートを使用することを特徴とする上記<１>〜<４>のいずれかに記載の焼付系。
<７>ブロックトポリイソシアネート（a）として、ヘキサメチレンジイソシアネート、イソホロンジイソシアネート、4,4'-ジイソシアナトジシクロヘキシルメタン、それらの誘導体、及び／又は混合物に基づくポリイソシアネートを使用することを特徴とする上記<１>〜<４>のいずれかに記載の焼付系。
<８>前記ポリイソシアネート（a）が親水性化されていることを特徴とする上記<１>〜<７>のいずれかに記載の焼付系。
<９>モリブデン化合物及び／又はタングステン化合物（c）として、モリブデン酸及び／又はタングステン酸の塩又はその縮合物を使用することを特徴とする上記<１>〜<８>のいずれかに記載の焼付系。
<１０>モリブデン化合物及び／又はタングステン化合物（c）として、オルト-及びメタ-モリブデン酸及び／又はオルト-及びメタ-タングステン酸のリチウム塩、ナトリウム塩及びカリウムの塩を使用することを特徴とする上記<１>〜<８>のいずれかに記載の焼付系。
<１１>上記<１>〜<１０>のいずれかに記載の焼付系を調製する方法であって、成分（d）中に分散又は溶解させる前に成分（c）を成分（a）及び／又は（b）中に導入することを特徴とする方法。
<１２>上記<１>〜<１０>のいずれかに記載の焼付系を調製する方法であって、成分（d）中に成分（a）及び／又は（b）を分散又は溶解させる前に成分（c）を成分（d）中に導入することを特徴とする方法。
<１３>上記<１>〜<１０>のいずれかに記載の水性又は水分散性系を調製する方法であって、分散媒としての水を加える前に成分（a）、（b）、（d）及び／又は（e）の１つ以上に成分（c）を加えることを特徴とする方法。
<１４>塗料、インキ及び接着剤を調製するための上記<１>〜<１０>のいずれかに記載の焼付系の使用。
<１５>上記<１>〜<１０>のいずれかに記載の焼付系から得られる皮膜で被覆された基材。
【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
１００ｍｃｇ／ｍ２〜８００ｍｃｇ／ｍ２の範囲の投与量の、６週間ごとの、肝動脈を経由するネモルビシンの肝臓内投与を特徴とする、ヒト肝臓腫瘍の治療のための、ネモルビシンを含有する医薬組成物。
【請求項２】
ネモルビシンが、２００ｍｃｇ／ｍ２〜６００ｍｃｇ／ｍ２の範囲の投与量で投与される、請求項１に記載の医薬組成物。
【請求項３】
ネモルビシンが、２００ｍｃｇ／ｍ２の投与量で投与される、請求項１に記載の医薬組成物。
【請求項４】
ネモルビシンが、４００ｍｃｇ／ｍ２の投与量で投与される、請求項１に記載の医薬組成物。
【請求項５】
ネモルビシンが、６００ｍｃｇ／ｍ２の投与量で投与される、請求項１に記載の医薬組成物。
【請求項６】
ネモルビシンが、５〜１０分の注入として投与される、請求項１に記載の医薬組成物。
【請求項７】
ネモルビシンが、３０分の注入として投与される、請求項１に記載の医薬組成物。
【請求項８】
好ましくは事前に生理食塩水溶液に溶解された適当な投与量のネモルビシンが、肝動脈を経由するその注射後に、肝臓腫瘍中に選択的に留まる適した量の薬剤と混合される、請求項１に記載の医薬組成物。
【請求項９】
前記薬剤が、ヨウ素で処理した油である、請求項８に記載の医薬組成物。
【請求項１０】
前記ヨウ素で処理した油の量が、腫瘍の大きさによって約５ｍｌ〜約３０ｍｌで変化し得る、請求項９に記載の医薬組成物。
【請求項１１】
前記肝臓腫瘍が、主として肝臓に限定される、請求項１に記載の医薬組成物。
【請求項１２】
前記肝臓腫瘍が、肝臓転移である、請求項１に記載の医薬組成物。
【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
式I：
【化１】
2006519234.tif 000001
［R1は水素、ハロゲン、-OMe、-OH、-NH2、もしくは-NHSO2CH3であるか、または
R1は式：
【化２】
2006519234.tif 000002
で表される基であり；そして
R2は水素、塩素、-OMe、-OH、-NO2、または-NH2である］
で表される化合物またはその塩。
【請求項２】
ハロゲンがブロモまたはフルオロである、請求項１に記載の式Ｉの化合物。
【請求項３】
治療上有効な量の請求項１又は２に記載の化合物並びに１種以上の薬学的に許容される担体、希釈剤および賦形剤を含んでなる医薬組成物。
【請求項４】
治療に使用するための請求項１又は２に記載の化合物。
【請求項５】
4-[5-(3-ブロモ-フェニル)-2H-ピラゾール-3-イルアミノ]-ベンゼンスルホンアミド；
4-[5-(4-フルオロ-フェニル)-2H-ピラゾール-3-イルアミノ]-ベンゼンスルホンアミド；
4-[5-(4-ブロモ-フェニル)-2H-ピラゾール-3-イルアミノ]-ベンゼンスルホンアミド；
4-[5-(3-フルオロ-4-メトキシ-フェニル)-2H-ピラゾール-3-イルアミノ]-ベンゼンスルホンアミド；
4-[5-(4-ニトロフェニル)-2H-ピラゾール-3-イルアミノ]-ベンゼンスルホンアミド；
4-[5-(3-メトキシフェニル)-2H-ピラゾール-3-イルアミノ]-ベンゼンスルホンアミド；
4-[5-(3-フルオロ-4-ヒドロキシ-フェニル)-2H-ピラゾール-3-イルアミノ]-ベンゼンスルホンアミド；
4-[5-(4-アミノ-フェニル)-2H-ピラゾール-3-イルアミノ]-ベンゼンスルホンアミド；
4-[5-(3-ヒドロキシ-フェニル)-2H-ピラゾール-3-イルアミノ]-ベンゼンスルホンアミド；
4-[5-(3-アミノ-フェニル)-2H-ピラゾール-3-イルアミノ]-ベンゼンスルホンアミド；
4-[5-(3-メタンスルホニルアミノ-フェニル)-2H-ピラゾール-3-イルアミノ]-ベンゼンスルホンアミド；
4-(5-{3-[3-(2-フルオロ-5-トリフルオロメチル-フェニル)-ウレイド]-フェニル}-2H-ピラゾール-3-イルアミノ)-ベンゼンスルホンアミド；
4-[5-(3-ベンゼンスルホニルアミノ-フェニル)-2H-ピラゾール-3-イルアミノ]-ベンゼンスルホンアミド；
4-[5-(3-モルホリン-4-イル-フェニル)-2H-ピラゾール-3-イルアミノ]-ベンゼンスルホンアミド；
及びそれらの塩からなる群より選択される請求項１に記載の化合物。
【請求項６】
治療上有効な量の請求項５に記載の化合物並びに１種以上の薬学的に許容される担体、希釈剤および賦形剤を含んでなる医薬組成物。
【請求項７】
治療に使用するための請求項５に記載の化合物。
【手続補正書】
【提出日】平成19年2月22日(2007.2.22)
【手続補正１】
【補正対象書類名】明細書
【補正対象項目名】０２７０
【補正方法】変更
【補正の内容】
【０２７０】
【化３８】
2006519232.tif 000001
【手続補正２】
【補正対象書類名】明細書
【補正対象項目名】０２７１
【補正方法】変更
【補正の内容】
【０２７１】
１：ＤＭＦ（６ｍＬ）中の１−（２−クロロエチル）ピロリジン塩酸塩（２００ｍｇ，１．１８ミリモル）及び４−（４，４，５，５−テトラメチル−［１，３，２］ジオキサボロラン−２−イル）−１Ｈ−ピラゾール（２２９ｍｇ，１．１９ミリモル）の混合物へＣｓ２ＣＯ３を加えた。この混合物を室温で一晩撹拌した。次いで、この混合物へ水（１０ｍＬ）を加えた。生成物をＥｔＯＡｃ（３ｘ１０ｍＬ）で抽出した。次いで、合わせた抽出物を塩水（５ｘ１０ｍＬ）で洗浄してＤＭＦを除去してから、Ｎａ２ＳＯ４で乾燥させて、濃縮した（１４２ｍｇ，収率４１％）。
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
少なくとも１種の反応体の平衡制限反応を実施して少なくとも１種の生成物を製造する方法であって、
ａ．前記少なくとも１種の生成物を製造するのに十分で、且つ少なくとも１種の反応体の少なくとも一部及び少なくとも１種の生成物を液相に維持するのに十分な、温度及び圧力を含む反応条件下に保持された第一の反応ゾーンで、前記少なくとも１種の反応体を反応させ；
ｂ．（ｉ）前記少なくとも１種の生成物を製造し、（ｉｉ）前記第二の反応ゾーン中で生成したか、又は前記第二の反応ゾーン中に導入された、重質成分を分解し、且つ（ｉｉｉ）それらの製造による、少なくとも１種の生成物の少なくとも一部を蒸発させるのに十分な、温度及び圧力を含む反応条件下に保持された第二反応ゾーンに、少なくとも１種の反応体及び少なくとも１種の生成物を含む液体溜分を、第一の反応ゾーンから抜き出して、抜き出された液体溜分の少なくとも一部を、導入し；
ｃ．前記第二の反応ゾーンからの、少なくとも１種の生成物を含む、頭頂部蒸気溜分を抜き出し、そして抜き出された頭頂部蒸気溜分の少なくとも一部を、少なくとも１つの凝縮ゾーンに導入して、少なくとも１種の生成物を液相で生成させ；
ｄ．前記少なくとも１つの凝縮ゾーンから、少なくとも１種の生成物及び水を含む、液体溜分を抜き出し、そして抜き出された液体溜分の少なくとも一部を、少なくとも１つの分離ゾーンに導入して、相分離により、少なくとも１種の生成物を含む有機液体溜分と、水を含む水性液体溜分とを与え；
ｅ．前記少なくとも１つの分離ゾーンから、少なくとも１種の生成物を含む、前記有機液体溜分を抜き出し、そして前記抜き出された有機液体溜分の少なくとも一部を、少なくとも１つの反応体回収蒸溜ゾーンに導入して、少なくとも１種の反応体を含む頭頂部溜分と、前記少なくとも１種の生成物を含む底部液体溜分とを与え；
ｆ．前記少なくとも１つの反応体回収蒸溜ゾーンから、少なくとも１種の生成物を含む、底部液体溜分を抜き出し、そして抜き出された底部液体溜分の少なくとも一部を、少なくとも１つの生成物回収蒸溜ゾーンに導入して、少なくとも１種の生成物を含む頭頂部溜分と、重質成分を含む底部液体溜分とを与え；そして
ｇ．前記抜き出された頭頂部溜分から、少なくとも１種の生成物を回収すること：
を含んでなる方法。
【請求項２】
工程（ａ）において、前記少なくとも１種の反応体が、アクリル酸二量体及び／又はその他のマイケル付加重質成分を含む粗アクリル酸流並びに粗２−エチルヘキサノール流を含むアルコール含有供給原料を含む請求項１に記載の方法。
【請求項３】
前記少なくとも１種の反応体が、カルボン酸含有供給原料及び／又は平衡制限反応を採用する別の工程からの重質残渣含有流から生じた、アルコール含有供給原料を含む請求項１又は２に記載の方法。
【請求項４】
前記生成物が、式Ｒ’Ｃ（Ｏ）ＯＲ’’’で表され、前記反応体が式Ｒ’Ｃ（Ｏ）ＯＨで表され、且つ別の前記反応体が式Ｒ’’’ＯＨで表される（ここで、Ｒ’は炭素原子１〜８のヒドロカルビル含有基であり、Ｒ’’’は炭素原子４〜１２のヒドロカルビル含有基である）請求項１〜３のいずれか１項に記載の方法。
【請求項５】
アクリル酸ブチル及びアクリル酸２−エチルヘキシルが同時に製造される請求項１〜４のいずれか１項に記載の方法。
【請求項６】
触媒が硫酸、スルホン酸又は酸性イオン交換樹脂を含む請求項１〜５のいずれか１項に記載の方法。
【請求項７】
第二の反応ゾーンには１重量％より少ない水しか存在しない請求項１〜６のいずれか１項に記載の方法。
【請求項８】
平衡制限反応が、炭素２〜４のカルボン酸と、炭素４〜１２のアルコールとのエステル化反応である請求項１に記載の方法。
【請求項９】
カルボン酸がアクリル酸を含み、且つアルコールが２−エチルヘキサノールを含む請求項８に記載の方法。
【請求項１０】
少なくとも１種の反応体の平衡制限反応を実施して少なくとも１種の生成物を製造する方法であって、
ａ．前記少なくとも１種の生成物を製造するのに十分で、且つ少なくとも１種の反応体の少なくとも一部及び少なくとも１種の生成物を液相に維持するのに十分な、温度及び圧力を含む反応条件下に保持された第一の反応ゾーンで、前記少なくとも１種の反応体を反応させ；
ｂ．（ｉ）前記少なくとも１種の生成物を製造し、（ｉｉ）前記第二の反応ゾーン中で生成したか、又は前記第二の反応ゾーン中に導入された、重質成分を分解し、且つ（ｉｉｉ）それらの製造による、少なくとも１種の生成物の少なくとも一部を蒸発させるのに十分な、温度及び圧力を含む反応条件下に保持された第二の反応ゾーンに少なくとも１種の反応体及び少なくとも１種の生成物を含む液体溜分を、第一の反応ゾーンから抜き出して、抜き出された液体溜分の少なくとも一部を、導入し；
ｃ．前記第二の反応ゾーンからの、少なくとも１種の生成物を含む、頭頂部蒸気溜分を抜き出し、抜き出された頭頂部蒸気溜分の少なくとも一部を、少なくとも１つの凝縮ゾーンに導入して、少なくとも１種の生成物を液相で生成させ、そして少なくとも１種の重合阻害剤を前記少なくとも１つの凝縮ゾーンに導入し；
ｄ．前記少なくとも１つの凝縮ゾーンから、少なくとも１種の生成物及び水を含む、液体溜分を抜き出し、そして抜き出された液体溜分の少なくとも一部を、少なくとも１つの分離ゾーンに導入して、相分離により、少なくとも１種の生成物を含む有機液体溜分と、水を含む水性液体溜分とを与え；
ｅ．前記少なくとも１つの分離ゾーンから、少なくとも１種の生成物を含む、前記有機液体溜分を抜き出し、前記抜き出された有機液体溜分の少なくとも一部を、少なくとも１つの反応体回収蒸溜ゾーンに導入して、少なくとも１種の反応体を含む頭頂部溜分と、前記少なくとも１種の生成物を含む底部液体溜分とを与え、そして少なくとも１種の重合阻害剤を前記少なくとも１つの反応体回収蒸溜ゾーンに導入し；
ｆ．前記少なくとも１つの反応体回収蒸溜ゾーンから、少なくとも１種の生成物を含む、前記底部液体溜分を抜き出し、抜き出された底部液体溜分の少なくとも一部を、少なくとも１つの生成物回収蒸溜ゾーンに導入して、少なくとも１種の生成物を含む頭頂部溜分と、重質成分を含む底部液体溜分とを与え、そして少なくとも１種の重合阻害剤を前記少なくとも１つの生成物回収蒸溜ゾーンに導入し；そして
ｇ．前記少なくとも１つの生成物回収蒸溜ゾーンから、少なくとも１種の重合阻害剤を含む前記底部溜分を抜き出し、抜き出された底部溜分の少なくとも一部を、前記少なくとも１種の反応体及び前記少なくとも１種の生成物の重合を最小にするか、又は排除するのに十分な量で、少なくとも１つの凝縮ゾーン、少なくとも１つの反応体回収蒸溜ゾーン、少なくとも１つの生成物回収蒸溜ゾーン及び水除去蒸溜ゾーンに導入し；そして
ｈ．前記抜き出された頭頂部溜分から、少なくとも１種の生成物を回収すること：
を含んでなる方法。
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
下記式の化合物（１）：
【化１】
2006519254.tif 000001
を担体または賦形剤との混合物として含む軟骨形成分化誘導用薬剤組成物。
【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
式
【化１】
2006519251.tif 000001
（式中、
R2及びR3は、独立して水素、ハロゲン、C1〜C6−アルキルから選択されており；R5は式、
【化２】
2006519251.tif 000002
の基を示し、ここでR9、R10、R11、R12及びR13は独立して水素、ハロゲン、シアノ、ニトロ、C1〜C6−アルキル、ハロ−C1〜C6アルキル、C1〜C6−アルコキシ、カルボキシ−C1〜C6−アルキル又はカルボキシアリールであり；
R14及びR15は独立して上記R9〜R13について規定したとおりである）
を有する化合物。
【請求項２】
式
【化３】
2006519251.tif 000003
（式中、
R2及びR3は、独立して水素、C1〜C6アルキルから選択されており；
R9、R10、R11、R12及びR13は独立して水素、ハロゲン、シアノ、ニトロ、C1〜C6−アルキル、ハロ−C1〜C6−アルキル、C1〜C6−アルコキシ、カルボキシ−C1〜C6アルキル又はカルボキシアリールである）
を有する請求項１に記載の化合物又は医薬的に許容できる当該化合物の塩、水和物又は溶媒和物。
【請求項３】
式
【化４】
2006519251.tif 000004
（式中、
R2及びR3は、独立して、水素、C1〜C6−アルキルから選択されており；
R14及びR15は独立して水素、ハロゲン、シアノ、ニトロ、C1〜C6−アルキル、ハロ−C1〜C6−アルキル、C1〜C6−アルコキシ、カルボキシ−C1〜C6−アルキル又はカルボキシアリールである）
を有する請求項１又は２に記載の化合物又は当該化合物の医薬的に許容できる塩、水和物又は溶媒和物。
【請求項４】
前記化合物が：
(6−メチル−2−フェニルエチニル−ピリジン−3−イル)アミン
(2−(3−フルオロ−フェニルエチニル)−6−メチル−ピリジン−3−イル)アミン
(2−(3−メトキシ−フェニルエチニル)−6−メチル−ピリジン−3−イル)アミン
(6−メチル−2−ピリジン−3−イルエチニル−ピリジン−3−イル)アミン
(2−(4−フルオロ−フェニルエチニル)−6−メチル−ピリジン−3−イル)アミン
(2−(3,5−ジフルオロ−フェニルエチニル)−6−メチル−ピリジン−3−イル)アミン
(2−(5−フルオロ−ピリジン−3−イルエチニル)−6−メチル−ピリジン−3−イル)アミン
3−(3−アミノ−6−メチル−ピリジン−2−イルエチニル)−ベンゾニトリル
(2−(5−クロロ−ピリジン−3−イルエチニル)−6−メチル−ピリジン−3−イル)アミン
(2−(3−クロロ−フェニルエチニル)−6−メチル−ピリジン−3−イル)アミン
(2−(3−フルオロ−フェニルエチニル)−4,6−ジメチル−ピリジン−3−イル）アミン
(2−(3−クロロ−フェニルエチニル)−4,6−ジメチル−ピリジン−3−イル）アミン
及びその医薬的に許容できる塩から選択されている、請求項１〜３のいずれか１項に記載の化合物。
【請求項５】
治療上有効な量の請求項１〜４のいずれか１項に記載の化合物及び医薬的に許容できる担体及び/又は賦形剤を含んで成る医薬組成物。
【請求項６】
哺乳動物の例えば、ヒトにおける症状を治療又は予防するための医薬組成物であって、その治療又は予防は、mGluR5アンタゴニストの神経調節効果によって影響されている又は促進されており、かかる治療又は予防を必要とする哺乳動物に対して、治療上有効な量の請求項１〜４のいずれか１項に記載の化合物を含んで成る医薬組成物。
【請求項７】
寛容又は依存症、うつ、双極性障害、精神疾患の例えば、精神病、注意欠陥/過活動性障害、パーキンソン病、記憶障害、アルツハイマー病、痴呆、精神錯乱、神経変性症、神経毒、虚血からなる群から選択された中枢神経系の疾患を治療又は予防するために有用な医薬組成物であって、かかる治療又は予防を必要とする哺乳動物に対して、治療上有効な量の請求項１〜４のいずれか１項に記載の化合物を含んで成る医薬組成物。
【請求項８】
炎症性又は神経因性疼痛を治療又は予防するための医薬組成物であって、かかる治療又は予防を必要とする哺乳動物に対して、実質上神経系に浸透しない有効な量の請求項１〜５のいずれか１項に記載の化合物を含んで成る医薬組成物。
【請求項９】
物質耐性又は依存性、神経性大食感、拒食症、ギャンブル中毒、喫煙依存症、セックス依存症、物質脱離（substance withdrawal）もしくは強迫神経症を治療もしくは予防するための医薬組成物であって、かかる治療又は予防を必要とする哺乳動物に対して、治療上有効な量の請求項１〜４のいずれか１項に記載の化合物を含んで成る医薬組成物。
【請求項１０】
アルコール、ニコチン、コカイン、アンフェタミン、ベンゾジアゼピン、オピエート又はアルコール乱用もしくは中毒を治療もしくは予防するための医薬組成物であって、かかる治療又は予防を必要とする哺乳動物に対して治療上有効な量の請求項１〜４のいずれか１項に記載の化合物を含んで成る医薬組成物。
【請求項１１】
不安症、パニック障害、恐怖症、外傷後ストレス障害、全般性不安障害、急性ストレス障害を療治療又は予防するための医薬組成物であって、かかる治療又は予防を必要とする哺乳動物に対して治療上有効な量の請求項１〜４のいずれか１項に記載の化合物を含んで成る医薬組成物。
【請求項１２】
偏頭痛を治療又は予防するために有用な医薬組成物であって、かかる治療又は予防が必要な哺乳動物に対して、有効な量の請求項１〜４のいずれか１項に記載の化合物を投与することを含んで成る医薬組成物。
【請求項１３】
哺乳動物における症状を治療又は予防するための医薬を調製するための請求項１〜４のいずれか１項に記載の式Ｉの化合物の使用であって、その治療又は予防がmGluR5アンタゴニストの神経調節効果によって影響されている又は促進されている使用。
【請求項１４】
化合物3−アミノ−4−クロロ−6−メチル−2−（2−フェニルエチニル）ピリジンを含んで成る請求項５〜１２のいずれか１項に記載の医薬組成物。
【請求項１５】
前記式Ｉの化合物が、3−アミノ−4−クロロ−6−メチル−2−（2−フェニルエチニル）ピリジンである請求項１３に記載の使用。
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
式Ｉの化合物である17α-アセトキシ-11β-(4-N,N-ジメチルアミノフェニル)-19-ノルプレグナ-4,9-ジエン-3,20-ジオン
【化１】
2006519255.tif 000001
の製造方法であって、
（ｉ）式ＩＩ
【化２】
2006519255.tif 000002
の化合物の17α-ヒドロキシ基をアセチル化して、式ＩＩＩ
【化３】
2006519255.tif 000003
の化合物を製造すること；
（ｉｉ）式ＩＩＩの化合物の3-ケト基をケタール化して、式ＩＶ
【化４】
2006519255.tif 000004
の化合物を製造すること；
（ｉｉｉ）式ＩＶの化合物をエポキシ化して、式Ｖ
【化５】
2006519255.tif 000005
の化合物を製造すること；
（ｉｖ）式Ｖの化合物をN,N-ジメチルアミノフェニル反応剤と反応させて、式ＶＩ
【化６】
2006519255.tif 000006
の化合物を製造すること；及び
（ｖ）式ＶＩの化合物を脱ケタール化及び脱水すること；
を含む方法。
【請求項２】
式ＩＶ
【化７】
2006519255.tif 000007
の化合物の製造方法であって、
（ｉ）式ＩＩ
【化８】
2006519255.tif 000008
の化合物の17α-ヒドロキシ基をアセチル化して、式ＩＩＩ
【化９】
2006519255.tif 000009
の化合物を製造すること；及び
（ｉｉ）式ＩＩＩの化合物の3-ケト基をケタール化すること； 
を含む方法。
【請求項３】
式ＩＶ
【化１０】
2006519255.tif 000010
の化合物を、式 (Me)2NC6H4MgX（式中、Ｘはハロゲンである）のグリニャール試薬及びハロゲン化第一銅を含むN,N-ジメチルアミノフェニル反応剤と反応させることを含む、式Ｖ
【化１１】
2006519255.tif 000011
の化合物の製造方法。
【請求項４】
式ＶＩ
【化１２】
2006519255.tif 000012
の化合物を脱ケタール化及び脱水することを含む、式Ｉ
【化１３】
2006519255.tif 000013
の化合物の製造方法。
【請求項５】
式Ｉの化合物を精製して、約183℃〜約185℃の融点を有する結晶形を製造することを更に含む、請求項４に記載の方法。
【請求項６】
式ＶＩの化合物が、式Ｖ
【化１４】
2006519255.tif 000014
の化合物をN,N-ジメチルアミノフェニル反応剤と反応させることにより製造される、請求項４に記載の方法。
【請求項７】
式ＩＩＩ
【化１５】
2006519255.tif 000015
の化合物の3-ケト基をケタール化することを含む、式ＩＶ
【化１６】
2006519255.tif 000016
の化合物の製造方法。
【請求項８】
式ＩＩＩの化合物が、17α-ヒドロキシ-19-ノルプレグナ-4,9-ジエン-3,20-ジオン（式ＩＩの化合物）
【化１７】
2006519255.tif 000017
をアセチル化することにより製造される、請求項７に記載の方法。
【請求項９】
式ＩＩＩの化合物（17α-アセトキシ-19-ノルプレグナ-4,9-ジエン-3,20-ジオン）
【化１８】
2006519255.tif 000018
、式ＩＶの化合物（3,3-エチレンジオキシ-17α-アセトキシ-19-ノルプレグナ-5(10),9(11)-ジエン-20-オン）
【化１９】
2006519255.tif 000019
、式Ｖの化合物（3,3-エチレンジオキシ-5α,10α-エポキシ-17α-アセトキシ-19-ノルプレグナ-9(11)-エン-20-オン）
【化２０】
2006519255.tif 000020
、または式ＶＩの化合物（3,3-エチレンジオキシ-5α-ヒドロキシ-17α-アセトキシ-11β-4-(N,N-ジメチルアミノフェニル)-19-ノルプレグナ-9-エン-20-オン）
【化２１】
2006519255.tif 000021
。
【手続補正書】
【提出日】平成18年12月24日(2006.12.24)
【手続補正１】
【補正対象書類名】特許請求の範囲
【補正対象項目名】請求項１１
【補正方法】変更
【補正の内容】
【請求項１１】
腐食走査解析のために画定した対象物の表面の領域上で腐食を判定し、特徴づける腐食走査システムにおいて、
―腐食走査解析のために画定した領域上で少なくとも１つの装置を３次元に位置決めし、移動させることができ、装置が脱着自在に接続できる位置決めアーム（１）において、取り付け要素（５）上にアーム（１）を位置決めするのに適した基材（２）と、基材（２）に回動可能に接続する第一支柱（３）と、第一支柱（３）に回動可能に接続し、少なくとも１つの装置が回動可能に且つ脱着自在に取り付けられるのに適した第二支柱（４）とから構成される位置決めアーム（１）と、
―位置決めアーム（１）の第二支柱（４）に脱着自在に取り付けられるレーザー装置（６）において、表面の領域へレーザー光を発光し反射されたレーザー光を検知してその領域の状態を評価するのに適したレーザー装置（６）と、
―レーザー装置（６）と位置決めアーム（１）の制御のためにこれらに接続され、レーザー装置（６）によって得ることができる表面状態データを受信し処理するのに適した第一コンピューター読み取り可能手段（７）と、
から構成される腐食走査システム。
【手続補正２】
【補正対象書類名】明細書
【補正対象項目名】００１３
【補正方法】変更
【補正の内容】
【００１３】
本発明は、腐食の生ずる可能性のある対象物の安全な使用の寿命を判定する改善された方法と装置に関する。本発明についてパイプライン、例えば、気体あるいは液体搬送用パイプラインの安全な使用の寿命の判定を参照して説明する。しかしながら、本発明による方法と装置を使用して腐食およびへこみや第三者が引き起こす損傷等の表面欠陥を判定でき、そして他の対象物、例えば、これらに限定されないが、高速道路橋、鉄道路線、自動車、飛行機、船、原子炉、クレーン、タンク、容器、煙突、バン、熱交換器、蒸留塔、気体・液体圧力ボトル、沖合のプラットフォームの支柱等の安全な使用の寿命を判定することができる。
【手続補正３】
【補正対象書類名】明細書
【補正対象項目名】００５１
【補正方法】変更
【補正の内容】
【００５１】
図１には、腐食走査システムの位置決めアーム１の例が示されている。位置決めアームは手動または自動で作動できる。この代表として示す位置決めアーム１は、取り付け要素５上にアーム１を位置決めするのに適した基材２と、基材２に回動可能に接続する第一支柱３と、第一支柱３に回動可能に接続し、少なくとも１つの装置が回動可能に、脱着自在に取り付けられるのに適した第二支柱４とから構成される。重要なことは、このアーム１は、腐食走査解析のために画定した領域上で、当該アーム１に脱着自在に接続する少なくとも１つの装置を３次元で位置決めし、移動することができることである。位置決めアームの第一支柱３と第二支柱４は、好ましくは金属、アルミニウム、もしくはセベラーのような複合材料から作られる。好ましい実施例では、位置決めアームの支柱３及び４は複合材料から作られる。この材料は温度変動の影響を受けにくい利点がある。
【手続補正４】
【補正対象書類名】明細書
【補正対象項目名】００９６
【補正方法】変更
【補正の内容】
【００９６】
最後に、パイプラインの腐食報告は、ボックス２３で示した前ステップで得られた要素で作られる。腐食報告は手動または自動的に提供できる。特別な自動腐食解析・報告ソフトウエアは、標準パイプに対して開発された。好ましい実施例では、この手順は次のステップからなる。
−パイプの内側および／または外側の少なくとも一方を走査するステップ。
−キャリパー制御の実施により走査の正確性を評価するステップ。
−データセットを３−２−１アライメント技術によって世界座標系に変換するため未加工の走査データ上に直接最適円筒体を作成するステップ。走査データは広げられる、即ち、以前のステップで作られた最適円筒体によってデータを展開する。
−得られたデータを集積するステップ、
−いくつかの最適平面から作られる基準を作り出すために「浮動最適平面」アプローチを実施するステップ。展開したデータについてのこれらの局所最適平面は、手動報告で使用した局所最適円筒体と同等である。
−腐食領域と欠陥とを適切な相互作用ルールによって自動的に判定するステップと、そして
−カスタマー固有のテンプレートで報告される要素（例えば、最大ずれの点の位置と深さ、最悪ケースのＸとＹプロファイル等）を特定するステップ。これらの要素は、自動的に作られ、計算され、ｐｄｆまたはｈｔｍｌ形式で出力される。あるいは、欠陥表面の最も深い点のＸＹＺ座標のエクセルシートをその位置での適切な壁厚を加えてあるいは加えずに出力する。
【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
ｘ線走査システムであって、コンベヤと、ｘ線をコンベヤに向かって発生させるよう構成されたｘ線源と、コンベヤに載った状態でｘ線を通って移動している容器から回折ｘ線を受け取るよう結合されたフラットパネル検出器とを有することを特徴とするｘ線走査システム。
【請求項２】
フラットパネル検出器に結合された第１のコリメータと、コンベヤと第１のコリメータとの間に設けられた第２のコリメータとを更に有し、第１及び第２のコリメータは、互いに直交したコリメーション平面を有するコリメータは、互いに直交したコリメーション平面を有することを特徴とする請求項１記載のｘ線走査システム。
【請求項３】
走査システムは、第１のコリメータ及びフラットパネル検出器から成る検出器組立体を有することを特徴とする請求項２記載のｘ線走査システム。
【請求項４】
検出器組立体は、フラットパネル検出器によって受け取り可能にバッグの内部から放出されたフォトンの特定の回折角を選択するよう動くことができることを特徴とする請求項３記載のｘ線走査システム。
【請求項５】
検出器組立体は、第２のコリメータを更に有することを特徴とする請求項４記載のｘ線走査システム。
【請求項６】
検出器組立体は、最高約４°までの回折角を選択するよう動くことができることを特徴とする請求項４記載のｘ線走査システム。
【請求項７】
ｘ線源は、ｘ線シートビームを発生させることを特徴とする請求項１記載のｘ線走査システム。
【請求項８】
ｘ線源は複数の互いに平行なコリメートされたビームを発生させ、ｘ線源は３０〜１２０ＫｅＶの放射線を発生させる標的から成り、標的は、タングステンから成ることを特徴とする請求項１記載のｘ線走査システム。
【請求項９】
変換層は、バンドギャップが約０．５〜３ｅＶの被着された半導体材料から成ることを特徴とする請求項１記載のｘ線走査システム。
【請求項１０】
変換層は、ＨｇＩ2、ＰｂＩ2、又はＣＺＴから成ることを特徴とする請求項９記載のｘ線走査システム。
【請求項１１】
変換層は、約２５〜２，２５０平方センチメートルの表面積を有することを特徴とする請求項９記載のｘ線走査システム。
【請求項１２】
第１のコリメータの受光角は、約０．２°以下であることを特徴とする請求項２記載のｘ線走査システム。
【請求項１３】
検出器組立体は、特定の回折角範囲を選択するよう固定されていることを特徴とする請求項３記載のｘ線走査システム。
【請求項１４】
回折角範囲は、発生したｘ線軸線に対し約２〜３°であることを特徴とする請求項１３記載のｘ線走査システム。
【請求項１５】
フラットパネル検出器に結合された冷却システムを更に有し、冷却システムは、フラットパネル検出器を、約−３０℃〜−１００℃の温度まで冷却するよう動作できることを特徴とする請求項１記載のｘ線走査システム。
【請求項１６】
容器判別検査方法であって、光導体ｘ線変換層を有するフラットパネル検出器を用意する段階と、フラットパネル検出器を用いて交通センタで容器内に特定の物質があるかどうかを判別検査する段階とを有することを特徴とする方法。
【請求項１７】
判別検査段階は、シングルパスで容器の三次元ｘ線回折走査を実施する段階を更に有することを特徴とする請求項１６記載の方法。
【請求項１８】
判別検査段階は、ｘ線シートビームを発生させる段階と、ｘ線シートビームを容器中へ差し向ける段階と、ｘ線シートビームから回折ｘ線を発生させる段階とを有し、回折ｘ線は、複数の回折角を有し、
判別検査段階は、容器のエネルギ分散走査を行なって回折スペクトルを収集する段階を更に有し、
エネルギ分散走査を実施する段階は、回折ｘ線から、フラットパネル検出器により検出可能な特定の回折角を持つフォトンを選択する段階を有し、
エネルギ分散走査を実施する段階は、フォトンがフラットパネル検出器の画素のアレイ中の個々の画素によって遮られると、回折ｘ線から選択された単一フォトンを計数する段階を更に有することを特徴とする請求項１６記載の方法。
【請求項１９】
ｘ線シートビームを発生させる段階は、タングステンＫ−アルファ放射線を発生させる段階を更に有し、
フラットパネル検出器は、二次元アレイの画素を有し、判別検査段階は、回折ｘ線の源を空間配置する段階を有し、
空間配置する段階は、ｘ線シートビームによって定められた容器の断面を画素のアレイ上にマッピングする段階を有し、
ビームの方向にｘ線シートビームにより定められた容器の断面は、画素のアレイ上マッピングされると、圧縮されることを特徴とする請求項１８記載の方法。
【請求項２０】
判別検査段階は、容器の波長分散回折走査を実施する段階を有することを特徴とする請求項１６記載の方法。
【請求項２１】
ｘ線走査システムであって、二次元非晶質フラットパネル検出器アレイと、二次元非晶質フラットパネル検出器アレイを用いて交通センタで容器内の特定の物質を検出する手段とを有することを特徴とするｘ線走査システム。
【請求項２２】
検出手段は、ｘ線シートビームを発生させる手段を含み、
検出手段は、ｘ線シートビームを容器中へ差し向ける段階と、ｘ線シートビームから複数の回折角を持つ回折ｘ線を発生させる段階と、特定の範囲の回折角を持つ回折ｘ線を選択する手段とを更に含むことを特徴とする請求項２１記載のｘ線走査システム。
【請求項２３】
ｘ線走査システムであって、コンベヤと、ｘ線をコンベヤに向かって発生させるよう構成されたｘ線源とを有し、ｘ線源は、ｘ線シートビームを発生させ、前記ｘ線走査システムは、コンベヤに載ってｘ線を通って移動している容器から回折ｘ線を受け取るよう結合された検出器を更に有することを特徴とするｘ線走査システム。
【請求項２４】
ｘ線シートビームは、複数の互いに平行なコリメートされたビームから成り、ｘ線源は、３０〜１２０ＫｅＶの放射線を発生させる標的から成り、標的は、タングステンから成ることを特徴とする請求項２３記載のｘ線走査システム。
【請求項２５】
フラットパネル検出器であって、基板と、基板上に被着された増幅器層と、増幅器層上に被着された電極層と、電極層上に被着された変換層とを有することを特徴とするフラットパネル検出器。
【請求項２６】
変換層は、直接変換層であることを特徴とする請求項２５記載のフラットパネル検出器。
【請求項２７】
変換層は、ＣＺＴから成ることを特徴とする請求項２６記載のフラットパネル検出器。
【請求項２８】
ｘ線回折走査システムであって、半導体層、半導体層に結合された第１の組をなす導電性線及び半導体層に結合された第２の組をなす導電性線を有するフラットパネル検出器と、第１及び第２の組をなす導電性線に結合されたパルス測定回路とを有することを特徴とするｘ線回折走査システム。
【請求項２９】
パルス測定回路は、第１の組をなす導電性線に結合された第１の増幅器と、第２の組をなす導電性線に結合された第２の増幅器回路と、第１及び第２の増幅器に結合された次元コリレータと、次元コリレータに結合されたパルス整形増幅器と、パルス整形増幅器に結合されたピーク検出器とを有することを特徴とする請求項２８記載のｘ線回折走査システム。
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
電気的喫煙装置のヒーター器具であって、
内壁を有し、該内壁は、内壁の外周面から内面まで延びる、内壁を貫いた少なくとも１つの開口を有し、
前記少なくとも１つの開口内に位置決めされ、且つ前記内面から内方に延び、前記ヒーター器具の内部と連通した複数の孔を有する少なくとも１つの流れ分配要素と、
前記内壁内で前記ヒーター器具の内部に配列された複数のヒーターエレメントと、を有するヒーター器具。
【請求項２】
前記内壁は、円筒形であり、前記流れ分配要素のうちの２つは、互いに略１８０度隔てて前記内壁を貫いて延びる、請求項１によるヒーター器具。
【請求項３】
前記流れ分配要素の各々は、前記ヒーター器具の中心軸線とほぼ垂直である軸線に沿って前記ヒーター器具の内部へ延び、前記流れ分配要素の各々の前記孔は、前記流れ分配要素の各々の前記軸線から半径方向外方に延びる、請求項２によるヒーター器具。
【請求項４】
前記流れ分配要素の各々は、流れ分配要素の軸線から半径方向外方に延びる４つの孔を有する、請求項３によるヒーター器具。
【請求項５】
前記内壁の周りに外壁を更に含む、請求項１によるヒーター器具。
【請求項６】
外壁は、内壁の周りのほぼ円筒形の壁であり、前記少なくとも１つの貫通孔は、前記少なくとも１つの流れ分配要素からほぼ半径方向外方に設けられる、請求項５によるヒーター器具。
【請求項７】
電気加熱式紙巻きたばこ喫煙装置の作動方法であって、
ヒーターブレードと紙巻きたばことの間に作動空間を確立し、
空気が紙巻きたばこを通して吸われるとき、空気流を挿入去れた紙巻きたばこに対して異なる方向に流れさせることによって空気流を前記ヒーターブレードに隣接して差し向け、
電気加熱式紙巻きたばこ喫煙装置においてヒーターブレードと紙巻きたばことの間に作動接触を確立し、
空気流を、作動接触した紙巻きたばこに隣接した位置で複数の方向に差し向ける、前記方法。
【請求項８】
空気流は、ヒーター器具内のヒーターブレードの周りの空間と連通した孔を有する少なくとも１つの流れ分配要素に通される、請求項７による方法。
【請求項９】
前記少なくとも１つの空気流れ分配要素の孔は空気流を少なくとも反対方向に差し向ける、請求項７による方法。
【請求項１０】
ライターと、紙巻きたばこと、を有し、前記ライターが請求項１−６のいずれか１項によるヒーター器具を含む、喫煙装置。
【手続補正書】
【提出日】平成19年2月27日(2007.2.27)
【手続補正１】
【補正対象書類名】特許請求の範囲
【補正対象項目名】請求項２０
【補正方法】変更
【補正の内容】
【請求項２０】
前記タブは対向する方向に屈曲する、請求項１８に記載の熱交換器用プレートを形成する方法。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
風速を決定するためのライダ手段（１０、１６、１８）を有する風力タービンであって、ライダ手段が、タービンのハブ（６）内に装着され、ハブが回転するときライダ手段がタービンの前方の領域を走査するように、回転軸（２２）に対して傾斜された少なくとも１つの視方向を有し、ライダ手段が、２つ以上の視方向（３２ａ、３２ｂ、３２ｃ）を有する少なくとも１つの多重化されたライダ装置（１１、５０、５４）を備えることを特徴とする、風力タービン。
【請求項２】
少なくとも１つの視方向が、回転軸（２２）の５°〜２０°の範囲内の角度で傾斜されている、請求項１に記載の風力タービン。
【請求項３】
少なくとも１つの視方向が、回転軸（２２）の１０°〜２０°の範囲内の角度で傾斜されている、請求項２に記載の風力タービン。
【請求項４】
ロータブレード（８）のピッチを制御するための、ライダ手段の出力に応答する制御手段をさらに備える、請求項１から３のいずれか一項に記載の風力タービン。
【請求項５】
制御手段が、入射するウインドガストが検知されたとき、ロータブレード（８）をフェザーリングするように構成されている、請求項４に記載の風力タービン。
【請求項６】
制御手段が、ブレードが回転するとき、各ブレード（８）のピッチを個別に変更するように構成されている、請求項４または５に記載の風力タービン。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
ホースなどの弾性ポンプ管またはポンプ流路であってとくにぜん動ポンプにおいて用いられるようなものを管理するための組合せアセンブリにおいて、前記ポンプに、前記ホース／管に加えられるポンプ圧力／または圧縮を調整するためのアセンブリが設けられ、該アセンブリは、無段階に調整可能な偏心調整メカニズムを含むことを特徴とする組合せアセンブリ。
【請求項２】
請求項１記載の組合せアセンブリにおいて、前記ぜん動ポンプは、単独でまたは前記偏心調整メカニズムと協力して、前記ポンプホース／管に加えられる圧力を管理するためのつなぎ留めホースフィッティングシステムを用いることに適合可能であることを特徴とする組合せアセンブリ。
【請求項３】
請求項１または２に記載の組合せアセンブリにおいて、前記偏心調整メカニズムが、偏心調整ブッシング、ウォームギア、平歯車、ロックカバー、ロックピン、および少なくとも１つのロッキングボルトを含むことを特徴とする組合せアセンブリ。
【請求項４】
請求項１から３までのいずれかに記載の組合せアセンブリにおいて、前記偏心調整メカニズムは、前記クランクシャフトピンに取り付けられる偏心ブッシングを回転させることによって、ポンプロータの外面とポンプキャビティの内周との間のギャップを調整するために用いられることを特徴とする組合せアセンブリ。
【請求項５】
請求項１から４までのいずれかに記載の組合せアセンブリにおいて、前記調整ブッシングの偏心距離は、該ブッシングの穴を該ブッシングの外周に対して偏心させて開けることによって得られることを特徴とする組合せアセンブリ。
【請求項６】
請求項１から５までのいずれかに記載の組合せアセンブリにおいて、前記偏心調整ブッシングの回転は、前記偏心ブッシングと前記クランクシャフトとの間に適合されたウォームギアなどの減速ギアを用いて行なわれ、該減速ギアは、ウォームを前記偏心ブッシングの固体ボディ部分に適合させることによって構成されることを特徴とする組合せアセンブリ。
【請求項７】
請求項１から６までのいずれかに記載の組合せアセンブリにおいて、平歯車が、前記クランクシャフトピンの端部に取り付けられるか、または代替的に該クランクシャフトピンの端部に直接機械加工されることを特徴とする組合せアセンブリ。
【請求項８】
請求項１から７までのいずれかに記載の組合せアセンブリにおいて、ホース圧縮の調整力は、ウォームギアをその端部で回転させるための較正されたトルクレンチを用いて制御されることを特徴とする組合せアセンブリ。
【請求項９】
請求項１から８までのいずれかに記載の組合せアセンブリにおいて、前記偏心調整ブッシングは、前記偏心ブッシングの円錐面にボルトによってクランプされた前記ロックカバーを用いて前記クランクシャフトピンにロックされ、同時に、ボルトの締め付けによって加えられる力によって、前記ロックカバーフランジと前記偏心ブッシングとの間に配置されるシーリングＯリングが押圧されることを特徴とする組合せアセンブリ。
【請求項１０】
請求項１から９までのいずれかに記載の組合せアセンブリにおいて、前記ロックカバーの回転が、前記クランクシャフトピン端部と該ロックカバーとの間に配置されるロックピンによって防止されることを特徴とする組合せアセンブリ。
【請求項１１】
請求項１から10までのいずれかに記載の組合せアセンブリにおいて、前記ロックカバーによって、前記偏心ブッシングに取り付けられるベアリングの内側レースも、該偏心ブッシングのショルダと前記クランクシャフトのショルダとの間で軸方向にクランプされることを特徴とする組合せアセンブリ。
【請求項１２】
請求項１から11までのいずれかに記載の組合せアセンブリにおいて、前記つなぎ留めホースフィッティングシステムは、前記ホース端部に挿入されるゴムフランジ、有利には２つのギルを含むシールギル、分割されたコレットの２つの半片、および必要に応じて、取付フランジを含むことを特徴とする組合せアセンブリ。
【請求項１３】
請求項１から12までのいずれかに記載の組合せアセンブリにおいて、前記シールギルは、前記ホース端部フランジから突出するように作られ、該シールギルの外側エッジ間の直径寸法が該ホース端部フランジの外側直径と一致する形状をしており、および前記シールギルが、前記ホースの外周の周りに、互いにその対向する側に配置され、該シールギルの断面は0.5〜1mmに作られ、該値は、前記コレットが２つの半片に分割されているために、該コレットに対して作られたスリットの幅よりも厚いことを特徴とする組合せアセンブリ。
【請求項１４】
請求項１から13までのいずれかに記載の組合せアセンブリにおいて、前記ポンプ本体に作られるフィードスルー開口部は、前記ホース端部に挿入されるホース端部フランジの外側直径と同じサイズかまたはわずかに大きく、前記分割されたコレットは、該ホース端部フランジの周りで該ホース端部フランジの背後に配置されるために、前記シールギルは、該分割されたコレット半片間に捕捉された状態のままであることを特徴とする組合せアセンブリ。
【請求項１５】
請求項１から14までのいずれかに記載の組合せアセンブリにおいて、前記分割されたコレットのフランジは、前記ホース端部に挿入される前記ホース端部フランジに対して取り付けられ、該分割されたコレットのフランジの背後の側に対して、Ｏリングが配置され、該Ｏリングは、該分割されたコレットのフランジと、前記ポンプ本体のフィードスルー開口部のエッジに対して作られたベベルとの間のギャップで圧縮され、その結果、前記分割されたコレットの半片を前記シールギルに対して押圧する力が及ぼされ、該力は、該分割されたコレットと前記ポンプ本体との間のギャップをシールすることを特徴とする組合せアセンブリ。
【請求項１６】
請求項１から15までのいずれかに記載の組合せアセンブリにおいて、前記取付フランジに対して、前記ホース端部フランジの過剰な締め付けを防止するように働く窪んだショルダが作られることを特徴とする組合せアセンブリ。